(57)【要約】  安価な構成でありながら、誤ピッキングを有効に抑制できる端末装置及びピッキングシステムを提供する。作業者の操作に応じて読み取り装置が物品における物品マーカーを読み取って、その物品識別情報を前記制御装置に入力したときに、制御装置は、入力された前記物品識別情報が、前記記憶部に記憶されている前記移送すべき物品の物品識別情報と一致すると判断した場合は、前記特定のカートのカート識別情報の入力を促す案内情報を前記ディスプレイに入力した後、前記ディスプレイが前記案内情報を表示して、前記読み取り装置からの入力を待ち、前記作業者の操作に応じて前記読み取り装置が前記特定のカートにおけるカートマーカーを読み取って、そのカート識別情報を前記制御装置に入力したときに、前記制御装置は、入力された前記カート識別情報が、前記記憶部に記憶されている前記特定のカートのカート識別情報と一致すると判断した場合は、物品が正常に移送されたことを示す正常移送情報を前記ディスプレイに入力した後、前記ディスプレイが前記正常情報を表示する。
2018021382.tif 000002
【特許請求の範囲】
【請求項１】
作業者が保管場所から複数種類の物品のいずれかを選択して特定のカートに移送させる際に用いる端末装置であって、前記物品には種類に応じた物品識別情報を示す物品マーカーが付与されており、前記カートには固有のカート識別情報を示すカートマーカーが付与されており、
前記作業者が読み取りできるように情報を表示するディスプレイと、
移送すべき物品に関する物品識別情報と前記特定のカートに関するカート識別情報を記憶する記憶部を備え、前記ディスプレイに表示する情報を作成して前記ディスプレイに入力する制御装置と、
前記物品マーカーを読み取って、その物品識別情報を前記制御装置に入力すると共に、前記カートマーカーを読み取って、そのカート識別情報を前記制御装置に入力する読み取り装置とを有する端末装置において、
前記制御装置が、移送すべき物品を示す移送情報を前記ディスプレイに入力した後、前記ディスプレイが前記移送情報を表示して、前記読み取り装置からの入力を待ち、
前記作業者の操作に応じて前記読み取り装置が前記物品における物品マーカーを読み取って、その物品識別情報を前記制御装置に入力したときに、前記制御装置は、入力された前記物品識別情報が、前記記憶部に記憶されている前記移送すべき物品の物品識別情報と一致すると判断した場合は、前記特定のカートのカート識別情報の入力を促す案内情報を前記ディスプレイに入力した後、前記ディスプレイが前記案内情報を表示して、前記読み取り装置からの入力を待ち、
前記作業者の操作に応じて前記読み取り装置が前記特定のカートにおけるカートマーカーを読み取って、そのカート識別情報を前記制御装置に入力したときに、前記制御装置は、入力された前記カート識別情報が、前記記憶部に記憶されている前記特定のカートのカート識別情報と一致すると判断した場合は、物品が正常に移送されたことを示す正常移送情報を前記ディスプレイに入力した後、前記ディスプレイが前記正常情報を表示する端末装置。
【請求項２】
前記作業者の操作に応じて前記読み取り装置が前記物品における物品マーカーを読み取って、その物品識別情報を前記制御装置に入力したときに、前記制御装置は、入力された前記物品識別情報が、前記記憶部に記憶されている前記移送すべき物品の物品識別情報と不一致であると判断した場合は、前記ディスプレイにおいて前記移送情報を表示した状態を維持するか、又は第１エラー情報を前記ディスプレイに入力して前記ディスプレイに前記第１エラー情報を表示させる請求項１に記載の端末装置。
【請求項３】
前記作業者の操作に応じて前記読み取り装置が前記特定のカートにおけるカートマーカーを読み取って、そのカート識別情報を前記制御装置に入力したときに、前記制御装置は、入力された前記カート識別情報が、前記記憶部に記憶されている前記特定のカートのカート識別情報と不一致であると判断した場合は、前記ディスプレイにおいて前記案内情報を表示した状態を維持するか、又は第２エラー情報を前記ディスプレイに入力して前記ディスプレイに前記第２エラー情報を表示させる請求項１又は２に記載の端末装置。
【請求項４】
前記正常移送情報とは、次に移送すべき物品を示す情報、又は前記特定のカートへの物品の移送が完了したことを示す情報である請求項１〜３のいずれかに記載の端末装置。
【請求項５】
前記物品マーカー及び前記カートマーカーは、バーコード又はＱＲコード（登録商標）である請求項１〜４のいずれかに記載の端末装置。
【請求項６】
前記作業者の頭部に取り付けられた支持部材が、前記ディスプレイを前記作業者の眼前に位置するように支持するようになっている請求項１〜５のいずれかに記載の端末装置。
【請求項７】
作業者が保管場所から複数種類の物品のいずれかを選択して特定のカートに移送させる際に用いるピッキングシステムであって、前記物品には種類に応じた物品識別情報を示す物品マーカーが付与されており、
前記作業者が読み取りできるように情報を表示するディスプレイと、移送すべき物品に関する前記物品識別情報を記憶する記憶部を備え、前記ディスプレイに表示する情報を作成して前記ディスプレイに入力する制御装置と、前記物品マーカーを読み取って、その物品識別情報を前記制御装置に入力する端末読み取り装置とを有する端末装置と、
前記特定のカートを識別して、その少なくとも物品の載置場所に前記作業者が接近したことを検出する検出装置と、を含むピッキングシステムにおいて、
前記制御装置が、移送すべき物品を示す移送情報を前記ディスプレイに入力した後、前記ディスプレイが前記移送情報を表示して、前記端末読み取り装置からの入力を待ち、
前記作業者の操作に応じて前記端末読み取り装置が前記物品における物品マーカーを読み取って、その物品識別情報を前記制御装置に入力したときに、前記制御装置は、入力された前記物品識別情報が、前記記憶部に記憶されている前記移送すべき物品の物品識別情報と一致すると判断した場合は、前記特定のカートへの接近を促す案内情報を前記ディスプレイに入力した後、前記ディスプレイが前記案内情報を表示して、前記検出装置の検出を待ち、
前記作業者が前記特定のカートの少なくとも物品の載置場所に接近したことを前記検出装置が検出したときに、前記制御装置は、物品が正常に移送されたことを示す正常移送情報を前記ディスプレイに入力した後、前記ディスプレイが前記正常移送情報を表示するピッキングシステム。
【請求項８】
前記作業者の操作に応じて前記端末読み取り装置が前記物品における物品マーカーを読み取って、その物品識別情報を前記制御装置に入力したときに、前記制御装置は、入力された前記物品識別情報が、前記記憶部に記憶されている前記移送すべき物品の物品識別情報と不一致であると判断した場合は、前記ディスプレイにおいて前記移送情報を表示した状態を維持するか、又は第１エラー情報を前記ディスプレイに入力して前記ディスプレイに前記第１エラー情報を表示させる請求項７に記載のピッキングシステム。
【請求項９】
前記検出装置は、前記カートに備えられた、固有のカート識別情報を記憶したカート記憶部、前記カート識別情報を送信する送信部、及び前記カートから所定範囲内にのみ検出光を投射し,その反射光を受光することにより前記作業者の接近を検出する光センサ部を有し、前記制御装置の前記記憶部は、特定のカートの識別情報を記憶しており、
前記光センサ部が前記作業者の接近を検出したときは、前記カート記憶部に記憶された前記カート識別情報を前記送信部から前記端末装置の制御装置へ送信して入力し、前記制御装置は、入力された前記カート識別情報が、前記記憶部に記憶されている前記特定のカートのカート識別情報と一致すると判断した場合は、物品が正常に移送されたことを示す正常移送情報を前記ディスプレイに入力する請求項７又は８に記載のピッキングシステム。
【請求項１０】
前記検出装置は、前記カートに設けられて所定範囲内にのみ固有のカート識別情報を含む電波を発信する電波発信部と、前記端末装置に設けられた電波受信部とを有し、前記制御装置の前記記憶部は、特定のカートの識別情報を記憶しており、
前記所定範囲内に前記作業者が進入したときに、前記電波を前記電波受信部が検知することにより、前記電波に含まれた前記カート識別情報を前記制御装置に入力し、前記制御装置は、入力された前記カート識別情報が、前記記憶部に記憶されている前記特定のカートのカート識別情報と一致すると判断した場合は、物品が正常に移送されたことを示す正常移送情報を前記ディスプレイに入力する請求項７又は８に記載のピッキングシステム。
【請求項１１】
前記制御装置は、入力された前記カート識別情報が、前記記憶部に記憶されている前記カート識別情報と不一致であると判断した場合は、前記ディスプレイにおいて前記案内情報を表示した状態を維持するか、又は第２エラー情報を前記ディスプレイに入力して前記ディスプレイに前記第２エラー情報を表示させる請求項９又は１０に記載のピッキングシステム。
【請求項１２】
前記物品マーカーは、バーコード又はＱＲコード（登録商標）である請求項７〜１１のいずれかに記載のピッキングシステム。
【請求項１３】
前記端末装置において、前記作業者の頭部に取り付けられた支持部材が、前記ディスプレイを前記作業者の眼前に位置するように支持するようになっている請求項７〜１２のいずれかに記載のピッキングシステム。
【発明の詳細な説明】
【技術分野】
【０００１】
本発明は、物品のピッキングに用いると好適な端末装置及びピッキングシステムに関する。
【背景技術】
【０００２】
近年、急速に発達した通信販売やコンビニエンスストア等のロジスティクスにおいては、多品種小ロットの物品に対して顧客の注文に即時対応することが求められており、その取扱量は今後も増大する傾向にあるため、物流及び倉庫管理における物品のピッキング作業の高効率化が重要な課題となっている。特にピッキング作業は、保管されている多種多様な物品の中から顧客の注文に応じた物品を作業者の手で選別して移送する作業であることから、正確なピッキング作業を行うためには時間を要し、また例え時間をかけても誤ピッキングを完全になくすことはできず、これが物流の効率化を妨げる要因となっている。従って、正確かつ迅速にピッキング作業を実行できる種々の支援システムが従来より開発されてきた。【０００３】
特許文献１には、作業者がピッキングした品物に付されているバーコードを読取るバーコードリーダと、前記品物を複数個載置することのできる秤と、この秤により計量された重量と前記バーコードリーダにより得られたバーコード情報とから前記秤に載置された品物の個数を算出する算出手段と、その算出結果を作業者に告知する告知手段とを備えたピッキング台車が開示されている。作業者が品物をピッキングする際、先ずその品物に付されているバーコードをバーコードリーダで読取り、次いでその品物を所定数秤に載置する。すなわち、所定数の品物をバケットに入れる前に一旦秤に載置する。すると、算出手段によって、秤により計量された重量と前記バーコードリーダにより得られたバーコード情報とから前記秤に載置された品物の個数が算出され、その算出結果が告知手段によって作業者に告知される。したがって、作業者は、ピッキングした個数に誤りがないかどうかを確認することができ、これによって作業の確実性が向上するという効果があるとされている。
【先行技術文献】
【特許文献】
【０００４】
【特許文献１】特開平０５−１４７７０８号公報
【特許文献２】特開平０６−６４７１３号公報
【特許文献３】特開平０５−２８６５１２号公報
【特許文献４】特開平０２−１８２０４号公報
【発明の概要】
【発明が解決しようとする課題】
【０００５】
しかしながら特許文献１の技術によれば、同種の品物であっても個体差から重量が異なる場合があり、正しい品物を予定された個数分だけバケットに載置しても、告知手段から告知された算出結果が適正値にならない場合があり、作業者の混乱を招く恐れがある。一方、それとは逆に異種の品物であっても重量が同じ場合があるが、同重量且つ異種の品物を誤ってバケットに載置したような場合には、告知手段から告知された算出結果が適正値となることがあり、それにより誤ピッキングの恐れがある。【０００６】
特許文献２には、物品を収容する複数の小間を備えた物品棚の該複数の小間毎に付設された小間内の物品の取り出しを検出する物品取り出しセンサと、該物品取り出しセンサの出力に基づいて物品取り出し信号を発生する信号発生手段とを有するピッキング用装置が開示されている。かかる技術によれば、物品棚の小間から物品が取り出されたことを、物品取り出しセンサで検出し、この物品取り出しセンサの出力に基づいて、信号発生手段から物品取り出し信号を発生させ、この物品取り出し信号を用いることで、物品の取り出しとは直接関係のない動作を要さずに、例えば、作業者に作業位置を知らせるための表示器を制御する制御装置による、ある作業位置でのピッキング完了の判別などを行わせることができるようになるとされる。しかしながら、特許文献２の技術によれば、物品棚の複数の小間毎に物品取り出センサを設ける必要があり、設備コストが膨大なものとなる。【０００７】
特許文献３には、記憶手段に記憶された固有情報、すなわち棚からの取出し物品に付記すべき情報が読み出されてラベル発行装置に送られ、その固有情報すなわちラベル発行情報に基づいて取出し物品に付設するラベルがラベル発行装置によって発行される技術が開示されている。それら発行されたラベルは、例えばピッキング作業者が棚から取出した物品に付設される。従って、取出し物品の種類や数量等に正確に対応したラベルが人手を介さずに自動発行されるので、ラベル発行作業の省力化を実現でき、併せて、上記取出し物品に正確に対応したラベルを各物品に付設することによって取出し物品の種類や数量の確認つまり検品が自動的に行われるという効果が生じるとされる。しかしながら、発行されたラベルを、ピッキング作業者が誤って違う物品に付設すると、誤ピッキングが生じることとなり、またラベルを付設する作業自体が作業者の大きな負担になって問題である。【０００８】
特許文献４には、商品を品目毎に保管した多数のポケットを有する商品棚が備えられたピッキングゾーンと、複数の仕向先別のコンテナを上記のピッキングゾーンへ搬送するコンテナ搬送手段と、上記商品棚に設けられて各ポケット内の商品のピッキング個数を表示するポケット表示器とを有し、上記ピッキングゾーンに配置された作業者が各ポケット内の商品を上記ポケット表示器の表示に従ってピッキングして該当するコンテナに集品するように構成されたピッキングシステムにおいて、上記ピッキングゾーンにおける各コンテナへの集品位置の近傍に、少なくともピッキングした商品に対する投入すべきコンテナ番号を表示する投入指示装置を備えたものが開示されている。しかしながら、特許文献４に開示されたピッキングシステムにおいては、商品棚のポケット毎にポケット表示器を設置しなくてはならず、設備コストが膨大なものとなる。【０００９】
本発明は、上記の事情に鑑みてなされたものであって、安価な構成でありながら、誤ピッキングを有効に抑制できる端末装置及びピッキングシステムを提供することを目的とする。
【課題を解決するための手段】
【００１０】
上述した目的のうち少なくとも一つを実現するために、本発明の一側面を反映した端末装置は、作業者が保管場所から複数種類の物品のいずれかを選択して特定のカートに移送させる際に用いる端末装置であって、前記物品には種類に応じた物品識別情報を示す物品マーカーが付与されており、前記カートには固有のカート識別情報を示すカートマーカーが付与されており、
前記作業者が読み取りできるように情報を表示するディスプレイと、
移送すべき物品に関する物品識別情報と前記特定のカートに関するカート識別情報を記憶する記憶部を備え、前記ディスプレイに表示する情報を作成して前記ディスプレイに入力する制御装置と、
前記物品マーカーを読み取って、その物品識別情報を前記制御装置に入力すると共に、前記カートマーカーを読み取って、そのカート識別情報を前記制御装置に入力する読み取り装置とを有する端末装置において、
前記制御装置が、移送すべき物品を示す移送情報を前記ディスプレイに入力した後、前記ディスプレイが前記移送情報を表示して、前記読み取り装置からの入力を待ち、
前記作業者の操作に応じて前記読み取り装置が前記物品における物品マーカーを読み取って、その物品識別情報を前記制御装置に入力したときに、前記制御装置は、入力された前記物品識別情報が前記移送すべき物品の物品識別情報と一致すると判断した場合は、前記特定のカートのカート識別情報の入力を促す案内情報を前記ディスプレイに入力した後、前記ディスプレイが前記案内情報を表示して、前記読み取り装置からの入力を待ち、
前記作業者の操作に応じて前記読み取り装置が前記特定のカートにおけるカートマーカーを読み取って、そのカート識別情報を前記制御装置に入力したときに、前記制御装置は、入力された前記カート識別情報が前記特定のカートのカート識別情報と一致すると判断した場合は、物品が正常に移送されたことを示す正常移送情報を前記ディスプレイに入力した後、前記ディスプレイが前記正常情報を表示するものである。【００１１】
上述した目的のうち少なくとも一つを実現するために、本発明の一側面を反映したピッキングシステムは、作業者が保管場所から複数種類の物品のいずれかを選択して特定のカートに移送させる際に用いるピッキングシステムであって、前記物品には種類に応じた物品識別情報を示す物品マーカーが付与されており、
前記作業者が読み取りできるように情報を表示するディスプレイと、前記物品識別情報を記憶する記憶部を備え、前記ディスプレイに表示する情報を作成して前記ディスプレイに入力する制御装置と、前記物品マーカーを読み取って、その物品識別情報を前記制御装置に入力する端末読み取り装置とを有する端末装置と、
前記特定のカートを識別して、その少なくとも物品の載置場所に前記作業者が接近したことを検出する検出装置と、を含むピッキングシステムにおいて、
前記制御装置が、移送すべき物品を示す移送情報を前記ディスプレイに入力した後、前記ディスプレイが前記移送情報を表示して、前記端末読み取り装置からの入力を待ち、
前記作業者の操作に応じて前記端末読み取り装置が前記物品における物品マーカーを読み取って、その物品識別情報を前記制御装置に入力したときに、前記制御装置は、入力された前記物品識別情報が前記移送すべき物品の物品識別情報と一致すると判断した場合は、前記特定のカートへの接近を促す案内情報を前記ディスプレイに入力した後、前記ディスプレイが前記案内情報を表示して、前記検出装置の検出を待ち、
前記作業者が前記特定のカートの少なくとも物品の載置場所に接近したことを前記検出装置が検出したときに、前記制御装置は、物品が正常に移送されたことを示す正常移送情報を前記ディスプレイに入力した後、前記ディスプレイが前記正常移送情報を表示するものである。
【発明の効果】
【００１２】
本発明によれば、安価な構成でありながら、誤ピッキングを有効に抑制できる端末装置及びピッキングシステムを提供することができる。
【図面の簡単な説明】
【００１３】
【図１】第１の実施形態にかかるピッキングシステムの概略を説明するための図である。
【図２】本実施形態にかかるヘッドマウントディスプレイ（以下、ＨＭＤという）１００の斜視図である。
【図３】端末装置であるＨＭＤ１００及び腕装着型スキャナ２００のブロック図である。
【図４】作業者がＨＭＤ１００及び腕装着型スキャナ２００を装着した状態を示す図である。
【図５】ディスプレイユニット１０４の構成を示す概略断面図である。
【図６】ディスプレイユニット１０４の画像表示部１０４Ｂに表示される情報の例である。
【図７】腕装着型スキャナ２００の赤外光ＩＲを、その商品ＣＭのバーコードＢＣ１に照射してバーコード情報（物品識別情報）を読み取る状態を示す図である。
【図８】腕装着型スキャナ２００の赤外光ＩＲを、カートＣＴのバーコードＢＣ２に照射してバーコード情報（カート識別情報）を読み取る状態を示す図である。
【図９】ディスプレイユニット１０４の画像表示部１０４Ｂに表示される警告情報の例である。
【図１０】ディスプレイユニット１０４の画像表示部１０４Ｂに表示される警告情報の例である。
【図１１】第２の実施形態にかかるカートＣＴと作業者ＷＫを示す図である。
【図１２】第２の実施形態にかかる図３と同様なブロック図である。
【図１３】第３の実施形態にかかるカートＣＴと作業者ＷＫを示す図である。
【発明を実施するための形態】
【００１４】
以下に、本発明の実施形態を、図面を参照して説明する。図１は、第１の実施形態にかかるピッキングシステムの概略を説明するための図であり、倉庫内でのピッキング作業の例を示している。図１において、倉庫内には複数の棚ＳＦが設置され、各棚ＳＦには商品ＣＭが保管されている。又、商品ＣＭが保管された棚ＳＦには、棚番号を付したプレートＰＴが取り付けられている。各商品ＣＭには、商品の種別（識別情報）を示すバーコードＢＣ１（物品マーカー）が付されたシールが貼り付けられている。又、作業者ＷＫが、棚ＳＦから移送するカートＣＴの取手ＨＮには、カートＣＴの固有の識別情報を示すバーコードＢＣ２（カートマーカー）が付されたシールが貼り付けられている。
【００１５】
更にデータベースサーバＤＳには、通信販売会社やコンビニエンスストアから発注された商品（物品）名や個数が記憶されている。データベースサーバＤＳにネットワークで接続されたピッキングサーバＰＳは、データベースサーバＤＳからの指示に従い、倉庫内に保管された商品の中からピッキングする商品及び個数を特定して、移送すべき商品の商品情報（移送すべき物品を示す移送情報）を作成するものである。又、ピッキングサーバＰＳには、棚ＳＦと、そこに保管された商品ＣＭとが対応づけて記憶されている。作成された商品情報は作業者毎に仕分けされて、アクセスポイントＡＰから無線ＬＡＮで、作業者ＷＫの持つウェラブル端末（ＨＭＤ）に送信される。
【００１６】
図２は、本実施形態にかかるヘッドマウントディスプレイ（以下、ＨＭＤという）１００の斜視図である。図３は、端末装置を構成するＨＭＤ１００及び腕装着型スキャナ２００のブロック図である。図４は、作業者がＨＭＤ１００及び腕装着型スキャナ２００を装着した状態を示す図である。
【００１７】
図２に示すように、本実施形態のＨＭＤ１００は，支持部材であるフレーム１０１を有している。上方から見てコ字状であるフレーム１０１は、前方の一端側下部に矩形枠１０２を取り付け、その上部に本体部１０３を取り付けている。本体部１０３は、配線ＣＤによりコントロールボックスＣＢに接続されており、コントロールボックスＣＢに内蔵された不図示の電池から給電されている。図４に示すように、フレーム１０１を作業者ＷＫの頭部に装着した状態で、作業者ＷＫの右目の前に矩形枠１０２が配置される。矩形枠１０２内には、スルー表示が可能な画像表示部１０４Ｂが、ディスプレイユニット１０４の構成部品として配置されている。
【００１８】
作業者ＷＫが身につけたコントロールボックスＣＢ内には、図３に示すように、ピッキングサーバＰＳから情報をダウンロード可能な通信部１０５と、ディスプレイユニット１０４の表示を制御する表示制御部１０６と、これらを司る制御部１０７が設けられている。表示制御部１０６と共に制御装置を構成する制御部１０７は、記憶部を内蔵している。一方、（端末）読み取り装置である腕装着型スキャナ２００は、赤外光を投光して、その反射光からバーコード情報を読み取るバーコードスキャナ２０１と、バーコードスキャナ２０１が読み取ったバーコード情報を、ＨＭＤ１００の通信部１０５へとＢｌｕｅｔｏｏｔｈ（登録商標）などにより無線送信する通信部２０２と、赤外光のオンオフ等の操作を可能にする操作部２０３とを有している。図４に示すように、腕装着型スキャナ２００は、ピッキング作業を邪魔しないように作業者ＷＫの腕ＡＭに装着され、且つ作業者ＷＫの腕に装着したまま、バーコードスキャナ２０１から赤外光を出射して、バーコード情報を読み取り可能となっている。
【００１９】
図５は、ディスプレイユニット（ディスプレイともいう）１０４の構成を示す概略断面図である。表示装置としてのディスプレイユニット１０４は、画像形成部１０４Ａと画像表示部１０４Ｂとからなる。画像形成部１０４Ａは、本体部１０３内に組み込まれており、光源１０４ａと、一方向拡散板１０４ｂと、集光レンズ１０４ｃと、表示素子１０４ｄとを有している。一方、いわゆるシースルー型の表示部材である画像表示部１０４Ｂは、本体部１０３から下方に延在するように配置された全体的に板状であって、接眼プリズム１０４ｆと、偏向プリズム１０４ｇと、ホログラム光学素子１０４ｈとを有している。
【００２０】
光源１０４ａは、表示素子１０４ｄを照明する機能を有し、例えば光強度のピーク波長及び光強度半値の波長幅で４６２±１２ｎｍ（Ｂ光）、５２５±１７ｎｍ（Ｇ光）、６３５±１１ｎｍ（Ｒ光）となる３つの波長帯域の光を発するＲＧＢ一体型のＬＥＤで構成されている。このように光源１０４ａが所定の波長幅の光を出射することにより、表示素子１０４ｄを照明して得られる画像光に所定の波長幅を持たせることができ、ホログラム光学素子１０４ｈにて画像光を回折させたときに、瞳孔Ｂの位置にて観察画角全域にわたって作業者ＷＫに画像を観察させることができる。また、光源１０４ａの各色についてのピーク波長は、ホログラム光学素子１０４ｈの回折効率のピーク波長の近傍に設定されており、光利用効率の向上がはかられている。
【００２１】
また、光源１０４ａは、ＲＧＢの光を出射するＬＥＤで構成されているので、光源１０４ａのコストを抑えることができるとともに、表示素子１０４ｄを照明したときに、表示素子１０４ｄにてカラー画像を表示することが可能となり、そのカラー画像を作業者ＷＫが視認可能とすることができる。また、ＲＧＢの各ＬＥＤ素子は発光波長幅が狭いので、そのようなＬＥＤ素子を複数用いることにより、色再現性が高く、明るい画像表示が可能となる。
【００２２】
表示素子１０４ｄは、光源１０４ａからの出射光を画像データに応じて変調して画像を表示するものであり、光が透過する領域となる各画素をマトリクス状に有する透過型の液晶表示素子で構成されている。なお、表示素子１０４ｄは反射型であってもよい。
【００２３】
接眼プリズム１０４ｆは、基端面ＰＬ１を介して入射する表示素子１０４ｄからの画像光を、相対する平行な内側面ＰＬ２と外側面ＰＬ３とで全反射させ、ホログラム光学素子１０４ｈを介して作業者ＷＫの瞳に導く一方、外光を透過させて作業者ＷＫの瞳に導くものであり、偏向プリズム１０４ｇとともに、例えばアクリル系樹脂で構成されている。この接眼プリズム１０４ｆと偏向プリズム１０４ｇとは、内側面ＰＬ２及び外側面ＰＬ３に対して傾斜した傾斜面ＰＬ４、ＰＬ５でホログラム光学素子１０４ｈを挟み、接着剤で接合されている。
【００２４】
偏向プリズム１０４ｇは、接眼プリズム１０４ｆに接合されて、接眼プリズム１０４ｆと一体となって略平行平板となるものである。この偏向プリズム１０４ｇを接眼プリズム１０４ｆに接合することにより，作業者ＷＫがディスプレイユニット１０４を介して観察する外界像に歪みが生じるのを防止することができる。
【００２５】
すなわち、例えば、接眼プリズム１０４ｆに偏向プリズム１０４ｇを接合させない場合、外光は接眼プリズム１０４ｆの傾斜面ＰＬ４を透過するときに屈折するので、接眼プリズム１０４ｆを介して観察される外界像に歪みが生じる。しかし、接眼プリズム１０４ｆに相補的な傾斜面ＰＬ５を有する偏向プリズム１０４ｇを接合させて一体的な略平行平板を形成することで、外光が傾斜面ＰＬ４，ＰＬ５（ホログラム光学素子１０４ｈ）を透過するときの屈折を偏向プリズム１０４ｇでキャンセルすることができる。その結果、シースルーで観察される外界像に歪みが生じるのを防止することができる。
【００２６】
ホログラム光学素子１０４ｈは、表示素子１０４ｄから出射される画像光（３原色に対応した波長の光）を回折反射して瞳孔Ｂに導き、表示素子１０４ｄに表示される画像を拡大して作業者ＷＫの瞳に虚像として導く体積位相型の反射型ホログラムである。このホログラム光学素子１０４ｈは、例えば、回折効率のピーク波長および回折効率半値の波長幅で４６５±５ｎｍ（Ｂ光）、５２１±５ｎｍ（Ｇ光）、６３４±５ｎｍ（Ｒ光）の３つの波長域の光を回折（反射）させるように作製されている。ここで、回折効率のピーク波長は、回折効率がピークとなるときの波長のことであり、回折効率半値の波長幅とは、回折効率が回折効率ピークの半値となるときの波長幅のことである。
【００２７】
反射型のホログラム光学素子１０４ｈは、高い波長選択性を有しており、上記波長域（露光波長近辺）の波長の光しか回折反射しないので、回折反射される波長以外の波長を含む外光はホログラム光学素子１０４ｈを透過することになり、高い外光透過率を実現することができる。
【００２８】
次に、ディスプレイユニット１０４の動作について説明する。光源１０４ａから出射された光は、一方向拡散板１０４ｂにて拡散され、集光レンズ１０４ｃにて集光されて表示素子１０４ｄに入射する。表示素子１０４ｄに入射した光は、表示制御部１０６から入力された画像データに基づいて画素ごとに変調され、画像光として出射される。これにより、表示素子１０４ｄには、カラー画像が表示される。
【００２９】
表示素子１０４ｄからの画像光は、接眼プリズム１０４ｆの内部にその基端面ＰＬ１から入射し、内側面ＰＬ２と外側面ＰＬ３で複数回全反射されて、ホログラム光学素子１０４ｈに入射する。ホログラム光学素子１０４ｈに入射した光は、そこで反射され、内側面ＰＬ２を透過して瞳孔Ｂに達する。瞳孔Ｂの位置では、ユーザーは、表示素子１０４ｄに表示された画像の拡大虚像を観察することができ、画像表示部１０４Ｂに形成される画面として視認することができる。この場合、ホログラム光学素子１０４ｈが画面を構成しているとみることもできるし、内側面ＰＬ２に画面が形成されているとみることもできる。
【００３０】
一方、接眼プリズム１０４ｆ、偏向プリズム１０４ｇおよびホログラム光学素子１０４ｈは、外光をほとんど全て透過させるので、作業者ＷＫはこれらを介して外界像（実像）を観察することができる。したがって、表示素子１０４ｄに表示された画像の虚像は、外界像の一部に重なって観察されることになるから、画像が表示された状態でも商品ＣＭを観察することができ、ピッキング作業を邪魔する恐れが少ない。このようにして、ＨＭＤ１００を装着した作業者ＷＫは、ホログラム光学素子１０４ｈを介して、表示素子１０４ｄから提供される画像と外界像とを同時に観察することができ、並行してピッキング作業を行える。
【００３１】
尚、ディスプレイユニット１０４が非表示状態のとき画像表示部１０４Ｂは素通しとなり、外界像のみを観察できる。本例では、光源と液晶表示素子と光学系とを組み合わせてディスプレイユニットを構成しているが、光源と液晶表示素子の組合せに代えて、自発光型の表示素子（例えば、有機ＥＬ表示素子）を用いても良い。また、光源と液晶表示素子と光学系の組合せに代えて、非発光状態で透過性を有する透過型有機ＥＬ表示パネルを用いてもよい。いずれにしても、画像表示部１０４Ｂに対向する作業者ＷＫの眼の視野に入るように、好ましくは、有効視野に少なくとも一部が重なるように、画面を配置すると、作業者ＷＫは画像を容易に視認することができる。
【００３２】
次に、本実施形態のＨＭＤ１００及び腕装着型スキャナ２００を用いたピッキング支援動作について説明する。図６は、ディスプレイユニット１０４の画像表示部１０４Ｂに表示される情報の例である。図１において、データベースサーバＤＳから商品名と個数を含む発注情報をダウンロードしたピッキングサーバＰＳは、アクセスポイントＡＰを介して,ある作業者ＷＫのＨＭＤ１００の通信部１０５に対して無線通信により、棚ＳＦから移送すべき商品に関する情報を送信する。かかる情報を受信した制御部１０７は、移送すべき商品に関する情報と、その移送を指示された作業者ＷＫの使用する（特定の）カートの情報とを,内蔵する記憶部に記憶し、更に表示制御部１０６を制御して、送信された情報に基づいて表示すべき画像を作成させ、その画像情報を、配線ＣＤを介してディスプレイユニット１０４に送信する。かかる画像情報を入力したディスプレイユニット１０４は、対応する画像（移送情報）を表示する。表示された画像の例を、図６（ａ）に示す。
【００３３】
ここで、ディスプレイユニット１０４に表示された画像は、具体的には「棚番」、「商品名」、「商品番号」、「ピッキング予定数」に加えて、移送すべき商品の画像と、「類似品に注意」などの注意書きを含んでいると好ましい。表示された画像を見た作業者ＷＫは、自分のカートＣＴを押しながら、その棚番を頼りに商品が保管されている場所まで移動する。
【００３４】
移送すべき商品（ここではビール５００ｍの６缶パック）を発見した作業者ＷＫは、図７に示すように、腕装着型スキャナ２００の赤外光ＩＲを、その商品ＣＭのバーコードＢＣ１に照射してバーコード情報（物品識別情報）を読み取る。読み取られたバーコード情報は、通信部２０２を介してコントロールボックスＣＢの通信部１０５へと送信される。尚、同一の商品でも個数が違えば、種類が異なるものとして扱う。
【００３５】
送信されたバーコード情報を入力したＨＭＤ１００の制御部１０７は、その記憶部に記憶された商品のバーコード情報に照らし合わせ、両者が一致すると判断した場合は、表示制御部１０６を制御して、カートＣＴに付されたバーコードＢＣ２の入力を促す画像を作成させ、その画像情報を、配線ＣＤを介してディスプレイユニット１０４に送信する。かかる画像情報を入力したディスプレイユニット１０４は、対応する画像（案内情報）を表示する。表示された画像の例を、図６（ｂ）に示す。
【００３６】
ここで、ディスプレイユニット１０４に表示された画像は、例えば移送を指示された作業者ＷＫのカートＣＴのカート番号（ここでは３１番）と、そのバーコードＢＣ２が付与された場所（取手ＨＮ）を示すことが好ましい。かかる画像を見た作業者ＷＫは、先にバーコード情報を読み取った商品ＣＭが移送すべき正しいものであることが分かるから誤ピッキングが防止され、同時に次の作業としてカートＣＴのバーコードＢＣ２を読み取る必要があることが分かる。バーコードＢＣ２を読み取るためには作業者ＷＫが一旦カートＣＴに近づかなくてはならないから、先にバーコード情報を読み取った商品ＣＭを保持してカートＣＴに移送することができる。これにより商品ＣＭを載せ忘れるというミスを防止できる。
【００３７】
一方、制御部１０７が、送信された商品のバーコード情報と、記憶された商品のバーコード情報とが不一致であると判断した場合、ディスプレイユニット１０４に表示される画像として、図６（ａ）に示すものを維持することができる。画像が切り変わらないことを視認した作業者ＷＫは、先にバーコード情報を読み取った商品ＣＭが移送すべき不適切であることが分かり、それにより誤ピッキングが防止される。
【００３８】
もしくは、制御部１０７が、送信された商品のバーコード情報と、記憶された商品のバーコード情報とが不一致であると判断した場合、第１エラー情報を作成してディスプレイユニット１０４に入力することで、これに基づき図９に示す警告画像（第１エラー情報）をディスプレイユニット１０４に切り替えて表示することができる。図９に示す警告画像を視認した作業者ＷＫは、ピッキングした商品が誤ったものであることを直ちに認識できる。尚、この警告画像は例えば５秒間だけ表示され、その後は図６（ａ）に示す画像に切り替えることが望ましい。
【００３９】
正しい商品ＣＭの１パック目をカートＣＴに移送した作業者ＷＫは、図８に示すように、腕装着型スキャナ２００の赤外光ＩＲを、カートＣＴのバーコードＢＣ２に照射してバーコード情報（カート識別情報）を読み取る。読み取られたバーコード情報は、通信部２０２を介してコントロールボックスＣＢの通信部１０５へと送信される。
【００４０】
送信されたバーコード情報を入力したＨＭＤ１００の制御部１０７は、その記憶部に記憶されたカートのバーコード情報に照らし合わせ、両者が一致すると判断した場合は、表示制御部１０６を制御して、次に移送されるべき商品を示す画像を作成させ、その画像情報を、配線ＣＤを介してディスプレイユニット１０４に送信する。ここでは、同じ商品ＣＭが２パック移送されるものとする。かかる画像情報を入力したディスプレイユニット１０４は、対応する画像を表示する。表示された画像の例を、図６（ｃ）に示す。
【００４１】
尚、図６（ｃ）の表示画像を図６（ａ）の表示画像と比べると、ピッキング予定数が「０／２」から「１／２」に変わっていることが分かる。よって、かかる画像（正常移送情報）を見た作業者ＷＫは、商品ＣＭを移送したカートが適切であったことが分かると共に、次の作業として同じ商品ＣＭをカートＣＴに移送させる必要があることが分かる。
【００４２】
一方、制御部１０７が、送信されたカートのバーコード情報と、記憶されたカートのバーコード情報とが不一致であると判断した場合、ディスプレイユニット１０４に表示される画像として、図６（ｂ）に示すものを維持することができる。画像が切り変わらないことを視認した作業者ＷＫは、商品ＣＭを移送したカートが不適切であることが分かり、それにより誤ピッキングが防止される。
【００４３】
もしくは、制御部１０７が、送信されたカートのバーコード情報と、記憶されたカートのバーコード情報とが不一致であると判断した場合、第２エラー情報を作成してディスプレイユニット１０４に入力することで、これに基づき図１０に示す警告画像（第２エラー情報）をディスプレイユニット１０４に切り替えて表示することができる。図１０に示す警告画像を視認した作業者ＷＫは、商品ＣＭを移送したカートＣＴが誤ったものであることを直ちに認識できる。尚、この警告画像は例えば５秒間だけ表示され、その後は図６（ｂ）に示す画像に切り替えることが望ましい。
【００４４】
図６（ｃ）に示す画像を視認した作業者ＷＫは、図７に示すように、腕装着型スキャナ２００の赤外光ＩＲを、ピッキングした商品ＣＭのバーコードＢＣ１に照射してバーコード情報を読み取ると、ディスプレイユニット１０４の表示は図６（ｄ）に示す画像へと切り替わり、これによりピッキングした商品ＣＭが正しいものであることが分かる。
【００４５】
続けて、作業者ＷＫが商品ＣＭをカートＣＴに移送した際に、図８に示すように、腕装着型スキャナ２００の赤外光ＩＲを、自身のカートＣＴのバーコードＢＣ２に照射してバーコード情報を読み取ると、ディスプレイユニット１０４の表示は図６（ｅ）に示す画像（正常移送情報）へと切り替わり、これにより商品ＣＭを適切なカートＣＴに移送したことが分かる。この時点で、図６（ｅ）の表示画像は、ピッキング予定数が「２／２」に変わっているため、作業者ＷＫは、同じ商品ＣＭのピッキングが完了したことが分かる。このように商品ＣＭをカートＣＴに移送する毎に、商品ＣＭのバーコードＢＣ１とカートＣＴのバーコードＢＣ２を読み取って移送チェックを行うので、誤ピッキングを有効に防止できる。尚、商品ＣＭのバーコード情報やカートＣＴのバーコード情報が一致しない場合には、不一致と判断した上述の制御を行う。
【００４６】
更に、図６（ｅ）の画像は、制御部１０７に制御に従い、例えば５秒間だけ表示された後に、図６（ｆ）に示す画像へと切り替わる。但し、図６（ｆ）に示す画像への切り替えは、正常移送情報（特定のカートへの物品の移送が完了したことを示す情報）としての意味を持つが、例えば「商品＊＊＊の移送は正常に行われました。」などの表示を、例えば３秒間だけディスプレイユニット１０４に表示した後に、図６（ｆ）に示す画像へと切り替えるようにしても良い。かかる画像を視認した作業者ＷＫは、別の棚にある商品（酎ハイ３５０ｍｌ６缶パック）をカートＣＴに移送させる必要があることが分かるので、表示された棚番までカートＣＴを移動して、以下、同様な作業を行う。以上を繰り返すことで、作業者ＷＫは移送すべき全ての商品を効率的にカートＣＴへと移送させることができる。
【００４７】
図１１は、第２の実施形態にかかるカートＣＴと作業者ＷＫを示す図である。図１２は、第２の実施形態にかかる図３と同様なブロック図である。第２の実施形態が、上述した第１の実施形態と異なる点は、図１１に示すようにカートＣＴの取手ＨＮに検出装置３００を設置している点である。
【００４８】
図１２に示すように、検出装置３００は、カートＣＴに備えられた固有のカート識別情報を記憶した記憶部（カート記憶部）３０１と、カート識別情報をＢｌｕｅｔｏｏｔｈ（登録商標）等の無線通信で送信する送信部３０２と、カートＣＴから,少なくとも商品載置場所ＬＤを含む所定範囲内（例えば商品載置場所ＬＤ側に向かって１．５ｍ以内）にのみ検出光ＤＬ（例えば赤外光カーテン）を投射し,その反射光を受光することにより作業者ＷＫの接近を検出する光センサ部３０３を有している。光センサ部３０３が作業者ＷＫの接近を検出したときは、送信部３０２から、作業者ＷＫの持つコントロールボックスＣＢの制御部１０７へカート識別情報を送信して入力するようになっている。本実施形態においては、カートマーカーは不要である。
【００４９】
本実施形態の動作について説明する。作業者ＷＫがＨＭＤ１００の指示に従い、腕装着型スキャナ２００により物品マーカーを読み取って、商品ＣＭをカートＣＴに移送するまでは、上述した実施形態と同様に動作するため説明を省略する。
【００５０】
ここで、コントロールボックスＣＢの制御部１０７は、腕装着型スキャナ２００により正しい商品ＣＭがスキャンされるまで、検出装置３００からの入力を受け付けないようになっている。これにより商品移送のタイミング以外で、作業者ＷＫがカートＣＴに接近した場合も、誤った制御を招くことが抑制される。腕装着型スキャナ２００により正しい商品ＣＭがスキャンされたとき、ＨＭＤ１００のディスプレイユニット１０４には、図６（ａ）に示す画像が表示されることとなるから、この時点から制御部１０７は検出装置３００からの入力を受け付ける。
【００５１】
一方、商品ＣＭを保持した作業者ＷＫがカートＣＴに接近して、その商品載置場所ＬＤに商品ＣＭを載置すると、カートＣＴの検出装置３００から出射されている検出光ＤＬを遮ることとなる。その際に発生する反射光を光センサ部３０３が受光したことに応じて、送信部３０２が記憶部３０１からカート識別情報を読み出して、コントロールボックスＣＢの通信部１０５へと送信する。
【００５２】
送信されたカート識別情報を入力したＨＭＤ１００の制御部１０７は、その記憶部に記憶されたカート識別情報に照らし合わせ、両者が一致すると判断した場合は、表示制御部１０６を制御して、次に移送されるべき商品を示す画像を作成させ、その画像情報を、配線ＣＤを介してディスプレイユニット１０４に送信する。かかる画像情報を入力したディスプレイユニット１０４は、対応する画像（図６（ｃ）参照）を表示する。ここでカート識別情報が不一致の場合は、上述した実施形態と同様な表示制御を行うこととなる。その他、同様であるため説明を省略する。検出装置３００は作業者ＷＫが保持した商品ＣＭにスキャン光を投射して、そのバーコードＢＣ１を読み取ってコントロールボックスＣＢに送信するようにしても良い。これにより、商品ＣＭのバーコード情報とカートＣＴのカート識別情報とが同時に入力できるので、腕装着型スキャナ２００は不要になる。
【００５３】
図１３は、第３の実施形態にかかるカートＣＴと作業者ＷＫを示す図である。第３の実施形態が、上述した第２の実施形態と異なる点は、検出装置の構成にある。カートＣＴは、少なくとも商品載置場所ＬＤを含む所定範囲内（例えば半径１．５ｍ以内）にのみ固有のカート識別情報を含む電波を発信する電波発信部３１０を備えている。一方、コントロールボックスＣＢの通信部１０５は、電波受信部を兼ねている。電波発信部３１０と通信部１０５とにより検出装置を構成する。
【００５４】
本実施形態の動作について説明する。作業者ＷＫがＨＭＤ１００の指示に従い、腕装着型スキャナ２００により物品マーカーを読み取って、商品ＣＭをカートＣＴに移送するまでは,上述した実施形態と同様に動作するため説明を省略する。又、第２の実施形態と同様に、コントロールボックスＣＢの制御部１０７は、腕装着型スキャナ２００により正しい商品ＣＭがスキャンされるまで、電波発信部３１０からの入力を受け付けないようになっている。
【００５５】
腕装着型スキャナ２００により正しい商品ＣＭがスキャンされた後、商品ＣＭを保持した作業者ＷＫがカートＣＴに接近して、その商品載置場所ＬＤに商品ＣＭを載置すると、カートＣＴの検出装置３１０から出射されている電波を通信部１０５が受信し、それに含まれたカート識別情報を制御部１０７へと入力する。制御部１０７は、入力されたカート識別情報と、記憶しているカート識別情報とを照合し、両者が一致すると判断した場合は、表示制御部１０６を制御して、次に移送されるべき商品を示す画像を作成させ、その画像情報を、配線ＣＤを介してディスプレイユニット１０４に送信する。かかる画像情報を入力したディスプレイユニット１０４は、対応する画像（図６（ｃ）参照）を表示する。ここでカート識別情報が不一致の場合は、上述した実施形態と同様に表示制御を行うこととなる。その他、同様であるため説明を省略する。
【００５６】
本発明は、明細書に記載の実施形態に限定されるものではなく、他の実施形態・変形例を含むことは、本明細書に記載された実施形態や技術思想から本分野の当業者にとって明らかである。明細書の記載及び実施形態は、あくまでも例証を目的としており、本発明の範囲は後述するクレームによって示されている。
【００５７】
以上述べた実施形態では、商品マーカーやカートマーカーとしてバーコードを用いたが、ＱＲコード（登録商標）などや、固有の画像などを用いても良い。固有の画像を読み取る読み取り装置としては、例えばＨＭＤに設置されたカメラ等を用いることができる。又、端末装置の例としてＨＭＤを挙げているが,スマートフォンやタブレット、或いは腕等に装着して用いる例えば時計型の端末装置などを用いても良い。コントロールボックスは、ＨＭＤの本体部と無線通信可能なスマートフォンやタブレットで代用しても良いし、腕装着型スキャナの代わりに、ＨＭＤ内蔵型のスキャナを用いても良い。
【符号の説明】
【００５８】
１００            ＨＭＤ
１０１            フレーム
１０２            矩形枠
１０３            本体部
１０４            ディスプレイユニット
１０４Ａ          画像形成部
１０４Ｂ          画像表示部
１０４ａ          光源
１０４ｂ          一方向拡散板
１０４ｃ          集光レンズ
１０４ｄ          表示素子
１０４ｆ          接眼プリズム
１０４ｇ          偏向プリズム
１０４ｈ          ホログラム光学素子
１０５            通信部
１０６            表示制御部
１０７            制御部
２００            腕装着型スキャナ
２０１            バーコードスキャナ
２０２            通信部
２０３            操作部
３００            検出装置
３０１            記憶部
３０２            送信部
３０３            光センサ部
３１０            電波発信部
３１０            検出装置
ＡＰ              アクセスポイント
ＢＣ１            バーコード情報
ＢＣ２            バーコード情報
ＣＢ              コントロールボックス
ＣＤ              配線
ＣＭ              商品
ＣＴ              カート
ＤＬ              検出光
ＤＳ              データベースサーバ
ＨＮ              取手
ＬＤ              商品載置場所
ＰＳ              ピッキングサーバ
ＰＴ              プレート
ＳＦ              棚
ＷＫ              作業者
【図１】
2018021382.tif 000003
【図２】
2018021382.tif 000004
【図３】
2018021382.tif 000005
【図４】
2018021382.tif 000006
【図５】
2018021382.tif 000007
【図６】
2018021382.tif 000008
【図７】
2018021382.tif 000009
【図８】
2018021382.tif 000010
【図９】
2018021382.tif 000011
【図１０】
2018021382.tif 000012
【図１１】
2018021382.tif 000013
【図１２】
2018021382.tif 000014
【図１３】
2018021382.tif 000015
【国際調査報告】
2018021382.tif 000016
2018021382.tif 000017
2018021382.tif 000018
2018021382.tif 000019